(57)【特許請求の範囲】
【請求項１】
縦方向及びそれに直交する横方向を有し、肌対向面及びその反対側に位置する非肌対向面と、前ウエスト域と、後ウエスト域と、前記前後ウエスト域間に前記縦方向に連なるクロッチ域と、前記前ウエスト域を画定する前ウエストパネルと、前記後ウエスト域を画定する後ウエストパネルと、前記前後ウエスト域の一部及び前記クロッチ域を画定し、かつ、吸液構造体を有するクロッチパネルとを含む使い捨て着用物品において、
前記クロッチパネルは、その前後端縁において前記前後ウエストパネルの前記非肌対向面にそれぞれ取り付けられ、
前記前後ウエストパネルは、前記横方向へ弾性的に伸縮可能であり、前記前ウエストパネルの伸長応力は、前記後ウエストパネルの伸長応力よりも高く、
前記前後ウエストパネルは、前記肌対向面側に位置する内面シートと、前記非肌対向面側に位置する外面シートと、前記内外面シートの間に位置する防漏シートと、前記内外面シートの間に配置された複数のストリング状またはストランド状の複数条のウエスト弾性体とをそれぞれ含み、
前記前後ウエストパネルは、前記横方向へ延びる前記ウエスト弾性体によって前記横方向へ伸縮可能に弾性化され、前記ウエスト弾性体の前記縦方向における離間寸法が他の領域よりも大きくされた大離間部を有し、
前記後ウエストパネルの前記防漏シートは、前記クロッチパネルの前記後端縁から前記縦方向の外方へ延出される延出部を有し、
前記延出部と前記大離間部とが重なることを特徴とする前記着用物品。
【請求項２】
前記前ウエストパネルの前記ウエスト弾性体は、前記後ウエストパネルの前記ウエスト弾性体よりも高い伸長倍率で取り付けられる請求項１に記載の着用物品。
【請求項３】
前記前ウエストパネルの前記ウエスト弾性体は、２．３〜３．３の伸長倍率で、前記後ウエストパネルの前記ウエスト弾性体は、１．５〜２．５の伸長倍率で各々取り付けられる請求項１または２に記載の着用物品。
【請求項４】
前記前ウエストパネルの前記ウエスト弾性体の径は、前記後ウエストパネルの前記ウエスト弾性体の径よりも大きい請求項１〜３のいずれかに記載の着用物品。
【請求項５】
前記前ウエストパネルの前記ウエスト弾性体の数は、前記後ウエストパネルの前記ウエスト弾性体の数よりも多い請求項１〜４のいずれかに記載の着用物品。
【発明の詳細な説明】
【技術分野】
【０００１】
本発明は、使い捨て着用物品に関し、より詳しくは、クロッチパネルと弾性ウエストパネルとを有する使い捨ておむつ、使い捨てのトイレット・トレーニングパンツ、使い捨て失禁パンツ、使い捨ての生理用パンツ、使い捨て吸収パッド等の使い捨て着用物品に関する。
【背景技術】
【０００２】
従来、クロッチパネルと弾性ウエストパネルとを有する使い捨て着用物品は公知である。例えば、特許文献１には、前後ウエスト域を形成する前後ウエストパネルと、クロッチ域を中心として前後ウエスト域に延びるクロッチパネルとを備える使い捨て着用物品が開示されている。
【先行技術文献】
【特許文献】
【０００３】
【特許文献１】特開２００４−３２９２３８号公報
【発明の概要】
【発明が解決しようとする課題】
【０００４】
特許文献１に開示の着用物品によれば、クロッチパネルの前後端部が、前後ウエストパネルに取り付けられる。前後ウエストパネルには、着用物品の横方向であるウエスト周り方向へ伸縮可能な弾性部材が、伸長状態で固定される。
【０００５】
かかる着用物品を着用した際、前後ウエストパネルは、弾性部材の伸縮によって着用者のウエスト周りに密着する。クロッチパネルは、前後ウエストパネルに取り付けられている前後端部から垂れ下がって、着用者の股部を覆う。このとき、クロッチパネルは、前後ウエストパネルの弾性部材の収縮によって横方向に収縮される。前後ウエストパネルが横方向内側に収縮すると、これら前後ウエストパネルに接合されたクロッチパネルの部分も横方向内側に収縮される。特に後ウエストパネルに接合されたクロッチパネルの部分が横方向内側に収縮されると、着用者の臀部がクロッチパネルから露出したり、排泄物がクロッチパネルから漏れたりする可能性がある。
【０００６】
そこで、本発明の課題は、従来の着用物品の改良であって、クロッチパネルの後ウエストパネルに取り付けられた部分の近傍から臀部が露出したり、排泄物が漏れたりするのを予防することができる使い捨て着用物品を提供することである。
【課題を解決するための手段】
【０００７】
本発明は、縦方向及びそれに直交する横方向を有し、肌対向面及びその反対側に位置する非肌対向面と、前ウエスト域と、後ウエスト域と、前記前後ウエスト域間に前記縦方向に連なるクロッチ域と、前記前ウエスト域を画定する前ウエストパネルと、前記後ウエスト域を画定する後ウエストパネルと、前記前後ウエスト域の一部及び前記クロッチ域を画定し、かつ、吸液構造体を有するクロッチパネルとを含む使い捨て着用物品の改良にかかわる。
【０００８】
本発明は、前記使い捨て着用物品において、前記クロッチパネルは、その前後端縁において前記前後ウエストパネルの前記非肌対向面にそれぞれ取り付けられ、前記前後ウエストパネルは、前記横方向へ弾性的に伸縮可能であり、前記前ウエストパネルの伸長応力は、前記後ウエストパネルの伸長応力よりも高く、前記前後ウエストパネルは、前記肌対向面側に位置する内面シートと、前記非肌対向面側に位置する外面シートと、前記内外面シートの間に位置する防漏シートと、前記内外面シートの間に配置された複数のストリング状またはストランド状の複数条のウエスト弾性体とをそれぞれ含み、前記前後ウエストパネルは、前記横方向へ延びる前記ウエスト弾性体によって前記横方向へ伸縮可能に弾性化され、前記ウエスト弾性体の前記縦方向における離間寸法が他の領域よりも大きくされた大離間部を有し、前記後ウエストパネルの前記防漏シートは、前記クロッチパネルの前記後端縁から前記縦方向の外方へ延出される延出部を有し、前記延出部と前記大離間部とが重なることを特徴とする。
【発明の効果】
【０００９】
本発明に係る一つ以上の実施態様における使い捨て着用物品によれば、前ウエストパネルの伸長応力を後ウエストパネルの伸長応力よりも高くすることとした。そのため、着用した際に、前ウエストパネルの方が後ウエストパネルよりも収縮し易いため、後ウエストパネルが極端に収縮することがないので、後ウエストパネルに接合されたクロッチパネルの後端縁近傍から臀部が露出したり、排泄物が漏れたりするのを予防することが可能になる。
【図面の簡単な説明】
【００１０】
【図１】本発明における使い捨て着用物品の一例として示す、使い捨ておむつの斜視図。
【図２】おむつのサイドシーム部を剥離して前後方向に伸展した状態をその肌対向面から見た一部破断展開平面図。
【図３】おむつの分解斜視図。
【図４】おむつの部分展開平面図。
【図５】図１のＶ−Ｖ線に沿う模式的断面図。
【図６】おむつの着用状態における図１のＶＩ−ＶＩ線に沿う模式的断面図。
【発明を実施するための形態】
【００１１】
図１〜５を参照すれば、本発明の使い捨て着用物品の一例として示す使い捨ておむつ１０は、縦方向Ｙおよびそれに直交する横方向Ｘと、横方向Ｘにおける寸法を二等分する仮想縦中心線２−２と、縦方向Ｙにおける寸法を二等分する仮想横中心線３−３とを有する。おむつ１０は、仮想縦中心線２−２に関して対称に形成されている。
【００１２】
おむつ１０は、肌対向面およびそれに対向する非肌対向面と、環状の弾性ウエストパネルを構成する前後ウエストパネル２０，３０と、前後ウエストパネル２０，３０の非肌対向面に取り付けられたクロッチパネル４０と、前ウエスト域１１と、後ウエスト域１２と、前後ウエスト域１１，１２間を縦方向Ｙへ延びるクロッチ域１３とを含む。前ウエストパネル２０によって前ウエスト域１１が画定され、後ウエストパネル３０によって後ウエスト域１２が画定される。また、クロッチパネル４０の一部でクロッチ域１３が画定される。
【００１３】
前ウエストパネル２０は、横方向Ｘへ延びる外端縁２０Ａおよび内端縁２０Ｂと縦方向Ｙへ延びる両側縁２０Ｃとを有し、同様に、後ウエストパネル３０は、横方向Ｘへ延びる外端縁３０Ａおよび内端縁３０Ｂと縦方向Ｙへ延びる両側縁３０Ｃとを有する。前後ウエストパネル２０，３０は、ほぼ同形同大であって、それぞれ横長の矩形状にされる。クロッチパネル４０は、縦長の略矩形状であって、横方向Ｘへ延びる前端縁４０Ａと、前端縁４０Ａに対向する後端縁４０Ｂと、縦方向Ｙへ延びる両側縁４０Ｃとを有する。前端縁４０Ａが接合部７１を介して前ウエストパネル２０の非肌対向面（外面）に取り付けられ、後端縁４０Ｂが接合部７２を介して後ウエストパネル３０の非肌対向面に取り付けられる。前ウエストパネル２０の内端縁２０Ｂから後ウエストパネル３０の内端縁３０Ｂまでの間にクロッチ域１３が画定される。
【００１４】
前後ウエストパネル２０，３０の両側縁２０Ｃ，３０Ｃは、互いに重ね合わされて、縦方向Ｙへ延びる断続的な一連のサイドシーム部１４によって連結され、前後ウエストパネル２０，３０の外端縁２０Ａ，３０Ａによっておむつ１０のウエスト開口１５が画定され、内端縁２０Ｂ，３０Ｂによっておむつ１０のレッグ開口１６の一部が画定される。サイドシーム部１４は、公知の接合手段、例えば、熱エンボス加工、ソニック加工等の各種の熱溶着手段によって、縦方向Ｙへ断続的に溶着されることによって形成される。
【００１５】
前後ウエストパネル２０，３０は、肌対向面側に位置する内面シート２１，３１と、非肌対向面側に位置する外面シート２２，３２と、これらシート２１，２２および３１，３２の間に位置する防漏シート２３，３３とを有する。内外面シート２１，２２，３１，３２は、例えば、質量約１０〜３０ｇ／ｍ２の不透液性のＳＭＳ（スパンボンド・メルトブローン・スパンボンド）繊維不織布、スパンボンド繊維不織布、プラスチックシート、または、プラスチックシートといずれかの繊維不織布とのラミネートシートから形成される。防漏シート２３，３３は、例えば、不透液性かつ通気性のプラスチックシートから形成される。
【００１６】
防漏シート２３，３３は、横方向Ｘへ延びるとともに縦方向Ｙ外方に位置する外端縁２３Ａ，３３Ａと、外端縁２３Ａ，３３Ａに対向する内端縁２３Ｂ，３３Ｂと、縦方向Ｙへ延びる両側縁２３Ｃ，３３Ｃとによって画定される。防漏シート２３，３３は、前後ウエストパネル２０，３０の横方向Ｘの中央であって、防漏シート２３，３３の内端縁２３Ｂ，３３Ｂと前後ウエストパネル２０，３０の内端縁２０Ｂ，３０Ｂとがそれぞれ一致するように取り付けられる。防漏シート２３，３３の横方向Ｘにおける寸法は、クロッチパネル４０のそれよりも小さくされて、両側縁２３Ｃ，３３Ｃが両側縁４０Ｃの横方向Ｘ内側に位置する。前ウエストパネル２０における防漏シート２３の外端縁２３Ａは、縦方向Ｙにおいてクロッチパネル４０の前端縁４０Ａよりも縦方向Ｙ内方に位置する。後ウエストパネル３０における防漏シート３３は、外端縁３３Ａがクロッチパネル４０の後端縁４０Ｂから縦方向Ｙ外方へ延出され、延出部３６が形成される。防漏シート２３，３３は、図示しないホットメルト接着剤等の公知の接合手段を介して内面シート２１，３１に接合される。
【００１７】
内外面シート２１，２２間および内外面シート３１，３２間には、横方向Ｘへ延びる複数条のストランド状又はストリング状の弾性部材であるウエスト弾性体２４，３４が固定される。前後ウエストパネル２０，３０は、ウエスト弾性体２４，３４が固定されることによって少なくとも横方向Ｘへ伸縮可能に弾性化される。ウエスト弾性体２４，３４は、防漏シート２３，３３が存在する領域においては、防漏シート２３，３３と外面シート２２，３２との間にそれぞれ固定される。
【００１８】
図４は、説明のために、前後ウエストパネル２０，３０の外面シート２２，３２とこれらに取り付けられたウエスト弾性体２４，３４のみを伸長状態で示す。ウエスト弾性体２４，３４は、前後ウエストパネル２０，３０のそれぞれに、同じ配置で取り付けられる。
前後ウエストパネル２０，３０には、ウエスト弾性体２４，３４の縦方向Ｙにおける離間寸法が他の領域よりも大きくされた大離間部２５，３５が形成される。縦方向Ｙにおける寸法とは、一本の弾性体の中心から、隣接する他の一本の弾性体の中心までの寸法（ピッチ）をいう。大離間部２５，３５は、縦方向Ｙに約２５ｍｍの離間寸法で配置されたウエスト弾性体２４，３４どうしの間の領域であり、クロッチパネル４０の前後端縁４０Ａ，４０Ｂよりもそれぞれ縦方向Ｙ外方に位置する。大離間部２５，３５と外端縁２０Ａ，３０Ａとの間の領域には、縦方向Ｙにおいて約８〜１０ｍｍの離間寸法で、６本のウエスト弾性体２４，３４が配置される。大離間部２５，３５と内端縁２０Ｂ,３０Ｂとの間の領域には、縦方向Ｙにおいて約６〜１５ｍｍの離間寸法で、１１本のウエスト弾性体２４，３４が配置される。従って、前後ウエストパネル２０，３０は、それぞれ、合計１９本ずつのウエスト弾性体２４，３４を有する。
【００１９】
前ウエストパネル２０のウエスト弾性体２４として、９４０ｄｔｅｘのゴム糸が、約２．３〜３．３倍、好ましくは約２．６〜３．０倍の伸長倍率で取り付けられる。後ウエストパネル３０のウエスト弾性体３４として、４７０ｄｔｅｘのゴム糸が、約１．５〜２．５倍、好ましくは約１．８〜２．２倍の伸長倍率で取り付けられる。ウエスト弾性体２４，３４の本数および配置は前後ウエストパネル２０，３０において同じであるため、前ウエストパネル２０のウエスト弾性体２４の伸長倍率を後ウエストパネル３０のウエスト弾性体３４の伸長倍率よりも高くし、且つウエスト弾性体２４の径をウエスト弾性体３４の径よりも太くすることにより、前ウエストパネル２０の伸長応力を後ウエストパネル３０の伸長応力よりも高くすることができる。
【００２０】
内外面シート２１，２２および内外面シート３１，３２は、ウエスト弾性体２４，３４のほぼ全周面に塗布された図示しないホットメルト接着剤によって、互いに接着される。内外面シート２１，２２，３１，３２のほぼ全域に接着剤を塗布し、これらを互いに接着した場合に比べて、接着剤の塗布量を少なくすることができ、接着剤によって後ウエストパネル３０の剛性が高くなるのを予防することができる。ただし、内外面シート２１，２２および内外面シート３１，３２の全域に接着剤を塗布するものを排除するものではない。
【００２１】
図６に示すように、おむつ１０を着用すると、前ウエストパネル２０の伸長応力が後ウエストパネル３０の伸長応力よりも高いことにより、前ウエストパネル２０が後ウエストパネル３０よりも横方向において大きく収縮する。このため、後ウエストパネル３０の方が前ウエストパネル２０よりも着用者のウエストを大きく覆うので、クロッチパネル４０が後端縁４０Ｂにおいて十分に広がることができる。従って、おむつ１０の着用状態では、クロッチパネル４０によって臀部を十分に覆うことができる。このため、クロッチパネル４０が臀部に挟まれたり、それによって排泄物収容スペース５４が小さくなったりすることを防ぐことができる。すなわち、少なくともクロッチパネル４０の後端縁４０Ｂ近傍において、クロッチパネル４０から着用者の臀部が露出したり、排泄物が漏れたりするのを予防することができる。
【００２２】
おむつ１０の着用状態でクロッチパネル４０の前端部４０Ａが横方向において大きく収縮することにより、前端部４０Ａ近傍である腹側において収縮から解放されたクロッチパネル４０は、背側よりも深い排泄物収容スペース５４を形成する。これは、着用者が男性である場合、余裕を持って男性器を覆うことができるため、好ましい。
【００２３】
前後ウエストパネル２０，３０に大離間部２５，３５をそれぞれ形成したので、おむつ１０の着用時、または、着用中に、着用者またはその世話人らがこの大離間部２５，３５に指を引っかけて、前ウエスト域１１または後ウエスト域１２を挟持して引き上げることができる。したがって、おむつ１０から指が滑らず、引き上げやすい。また、大離間部２５，３５がクロッチパネル４０の縦方向Ｙ外方に位置し、すなわち、クロッチパネル４０には重ならないことによって、これら大離間部２５，３５の柔軟性を維持することができるので、より一層指を引っ掛けやすくすることができる。
【００２４】
前ウエストパネル２０は、外端縁２０Ａおよび内端縁２０Ｂに沿って、複数の溶着部２７，２８を有し、同様に、後ウエストパネル３０も、外端縁３０Ａおよび内端縁３０Ｂに沿って複数の溶着部３７，３８を有する。溶着部２７，２８および３７，３８は、横方向Ｘへ断続的に位置し、内外面シート２１，２２および内外面シート３１，３２を部分的に溶着し、接合する。溶着部２７，２８および３７，３８は、公知の接合手段、例えば、熱エンボス加工、ソニック加工等の各種の熱溶着手段によって形成される。内外面シート２１，２２および内外面シート３１，３２は、ウエスト弾性体２４，３４の周面にある接着剤によってのみ互いに接着しているから、特に外端縁２０Ａ，３０Ａ、内端縁２０Ｂ，３０Ｂにおいて、これら内外面シートが互いに剥離し、シートの間に着用者の指等が引っかかる可能性がある。しかし、溶着部２７，３７によって溶着されているので、これら剥離を防止し、指等の引っかかりを未然に防止することができる。
【００２５】
前後ウエストパネル２０，３０の外面シート２２，３２には、接合されたクロッチパネル４０の前後端縁４０Ａ，４０Ｂを覆うようにこれらに重なって、カバーシート８１，８２が取り付けられる。カバーシート８１，８２は、それぞれ横長の矩形状にされ、その両側縁はサイドシーム部１４によって、内外面シート２１，２２および内外面シート３１，３２とともに互いに接合される。カバーシート８１，８２の縦方向Ｙにおける寸法は、内外面シート２１，２２および内外面シート３１，３２のそれよりも小さくされる。カバーシート８１，８２は、例えば、質量約１０〜３０ｇ／ｍ２の不透液性のＳＭＳ（スパンボンド・メルトブローン・スパンボンド）繊維不織布またはスパンボンド繊維不織布によって形成することができる。
【００２６】
カバーシート８１，８２は、大離間部２５，３５に重なって、外面シート２２，３２に接着される。したがって、大離間部２５，３５に位置する、内外面シート２１，２２および内外面シート３１，３２を補強することができ、大離間部２５，３５に指を引っかけておむつ１０を引き上げた場合に、この大離間部２５，３５が破れるのを予防することができる。また、後ウエストパネル３０の大離間部３５には、防漏シート３３の延出部３６が重なる。したがって、延出部３６が重なった領域では、より一層大離間部３５を補強することができ、引き上げ時の破れを予防することができる。カバーシート８１，８２は、図示しないホットメルト接着剤等の公知の接着手段によって接着されるとともに、接着剤は、それらシートのほぼ全域に間欠的に塗布される。
【００２７】
クロッチパネル４０は、ベースシート４３と、ベースシート４３の肌対向面（内面）に配置された吸液構造体４４と、吸液構造体４４を被覆する透液性シートから形成された身体側ライナ４５とを有する。
【００２８】
ベースシート４３は、少なくとも一方が不透液性の繊維不織布シート又はプラスチックフィルムから形成された内外面クロッチシート４６，４７によって形成される。また、内外面クロッチシート４６，４７は、両シート４６，４７のうちのいずれか一方のシートの内面に塗布されたホットメルト接着剤（図示せず）を介して互いに接合され、それらの両側部は、内方へ折り曲げられて、縦方向Ｙへ延びるガスケット機能を有する一対の弾性サイドフラップ４８が形成される。
【００２９】
弾性サイドフラップ４８には、縦方向Ｙへ延びる複数条のストランド状又はストリング状からなる第１レッグ弾性体５１と第２レッグ弾性体５２とが固定され、少なくとも縦方向Ｙにおいて弾性化される。具体的には、第２レッグ弾性体５２と弾性サイドフラップ４８の内側縁４９との間に第１レッグ弾性体５１が固定され、第１レッグ弾性体５１は内側縁４９に沿って縦方向Ｙへ直状に延び、第２レッグ弾性体５２は、仮想横中心線３−３近傍において第１レッグ弾性体５１に向かって凸に湾曲して、着用者の大腿を囲む方向へ延びる。第１および第２レッグ弾性体５１，５２は、前記の内外面クロッチシート４６，４７のうちのいずれか一方の内面に塗布されたホットメルト接着剤（図示せず）を介して両シート４６，４７間に縦方向Ｙに伸長された状態で固定される。
【００３０】
おむつ１０の着用時において、第１レッグ弾性体５１の収縮力によって弾性サイドフラップ４８の内側縁４９近傍が、着用者の大腿部に密着し、レッグ開口１６からの排泄物の横漏れを防止することができる。また、第２レッグ弾性体５２が、仮想横中心線３−３近傍におけるその中央部で湾曲し第１レッグ弾性体５１に接近しているので、これらが離間した部分に比べて着用者の大腿部に密着し易くなり、レッグ開口１６からの排泄物の横漏れをより効果的に防止することができる。
【００３１】
身体側ライナ４５は、好ましくは親水化処理された、質量約１５〜３５ｇ／ｍ２の透液性を有する繊維不織布シートであって、例えば、スパンボンド繊維不織布、ポイントボンド繊維不織布およびエアスルー不織布等各種公知の繊維不織布から形成することができる。
【００３２】
吸液構造体４４は、不溶性かつ自己質量の１０倍以上の吸水力を有するいわゆる吸収性ポリマー粒子から形成された吸収性コアを、質量約８〜１５ｇ／ｍ２、好ましくは、質量約１０ｇ／ｍ２の透水性の繊維不織布から形成された被覆シートで覆って構成される。吸収性ポリマー粒子が体液を吸収した後にその形状が型崩れするのを防止するために、吸収性コアを複数の吸収域に区分することができる。なお、吸収性コアは、吸収性ポリマー粒子のほかに、フラッフパルプ等の公知の吸収性材料を含むものであってもよい。また、吸液構造体４４は、図示しない公知の接着手段を介してベースシート４３の内面に固定されている。吸液構造体４４は、その全域でベースシート４３に接合されるようにしてもよいし、その一部、特に前後端縁のみが接合されるようにしてもよい。
【００３３】
上記のようなおむつ１０には、前後ウエストパネル２０，３０の内端縁２０Ｂ，３０Ｂ近傍と、クロッチパネル４０とによって囲まれた排泄物収容スペース５４が形成される。クロッチパネル４０は、前後ウエストパネル２０，３０の外面に取り付けられるが、それらを前後ウエストパネル２０，３０の内面に取り付ける場合に比して、排泄物収容スペース５４を大きく形成することができる。なお、吸液構造体４４は比較的に薄いものであるから、おむつ１０は、この種の他の物品に比して大容量の排泄物収容スペース５４を有し、比較的に多量の排泄物を保持することができるとともに、着用者の臀部から離間した状態でクロッチパネル４０が吊持されて袋状となり、排泄物によって着用者の臀部が汚れるのを抑えることができる。
【００３４】
クロッチパネル４０を前後ウエストパネル２０，３０に接合する接合部７１，７２は、クロッチ域１３に向かって開口した凹状を有し、それぞれ、弾性サイドフラップ４８の肌対向面にホットメルト接着剤を塗布して形成された両側部位７３，７４と、両側部位間において、横方向Ｘへ延びる中央部位７５，７６とを有する。中央部位７５，７６は、吸液構造体４４よりも縦方向Ｙ外方に位置しており、両側部位７３，７４と中央部位７５，７６との間には、ホットメルト接着剤が塗布されていない非接合部位７７，７８が画定される。なお、本実施形態において、前ウエスト域１１における接合部７１の両側部位７３は段差状、後ウエスト域１２における接合部７２の両側部位７４は矩形状を有しているが、それらの形状に制限されるものではなく、両側部位７３，７４は、段差状、矩形状、曲状などの各種の形状を有していてもよい。
【００３５】
接合部７１，７２に非接合部位７７，７８が画定されることによって、前後ウエストパネル２０，３０とクロッチパネル４０との間においてポケット（空間部）５５，５６が形成される。ポケット５５，５６が形成されることによってクロッチパネル４０内に画定される排泄物収容スペース５４をより大きくすることができる。また、ポケット５５，５６は、接合部７１，７２によってクロッチパネル４０と前後ウエストパネル２０，３０とが水密に接合されることによって、これらポケット５５，５６から排泄物が漏れるのを予防することができる。
【００３６】
上記の実施形態においては、ウエスト弾性体２４の伸長倍率をウエスト弾性体３４の伸長倍率よりも高くし、かつウエスト弾性体２４の径をウエスト弾性体３４の径よりも太くすることにより、前ウエストパネル２０の伸長応力を後ウエストパネル３０の伸長応力よりも高くしている。しかし、他の方法により、前ウエストパネル２０の伸長応力を後ウエストパネル３０の伸長応力よりも高くすることも可能である。
【００３７】
他の実施形態において、ウエスト弾性体２４，３４として同じ径のゴム糸を用い、ウエスト弾性体２４の伸長倍率をウエスト弾性体３４の伸長倍率よりも高くすることによってのみ、前ウエストパネル２０の伸長応力を後ウエストパネル３０の伸長応力よりも高くしてもよい。または、ウエスト弾性体３４の径よりも太い径を有するウエスト弾性体２４を用い、同じ伸長倍率で前後ウエストパネル２０，３０のそれぞれに取り付けることとしてもよい。
【００３８】
また、他の実施形態において、ウエスト弾性体の数を変えることもできる。例えば、後ウエストパネル３０のウエスト弾性体の数を、前ウエストパネル２０のウエスト弾性体の数よりも少なくすることもできる。
【００３９】
また、他の実施形態において、前後ウエストパネル２０，３０を弾性伸縮性のあるシートで形成することもできる。例えば、前ウエストパネル２０に用いるシートを、後ウエストパネル３０に用いるシートよりも伸長応力の高いシートを用いることにより、前ウエストパネル２０の伸長応力を後ウエストパネル３０の伸長応力よりも高くしてもよい。または、前ウエストパネル２０および後ウエストパネル３０に同じ伸長倍率のシートを用い、前ウエストパネル２０にのみウエスト弾性体をさらに配置し、後ウエストパネル３０はウエスト弾性体を含まないようにすることもできる。または、前ウエストパネル２０にのみ弾性伸長性のあるシートを用いることにより、前ウエストパネル２０の伸長応力を後ウエストパネル３０の伸長応力よりも高くしてもよい。弾性伸縮性のあるシートとしては、例えば、ギア延伸加工した繊維不織布を用いることができる。
【００４０】
おむつ１０を構成する各構成部材には、本明細書に記載されている材料のほかに、この種の物品において通常用いられている各種の公知の材料を制限なく用いることができる。また、本発明の明細書および特許請求の範囲において、「第１」および「第２」の用語は、同様の要素、位置などを単に区別するために用いられている。
【００４１】
以上に記載した本発明に関する開示は、少なくとも下記事項に要約することができる。
本発明は、以下の使い捨て着用物品１０の改良にかかわる。着用物品１０は、縦方向Ｙ及びそれに直交する横方向Ｘを有し、肌対向面及びその反対側に位置する非肌対向面と、前ウエスト域１１と、後ウエスト域１２と、前記前後ウエスト域１１，１２間に前記縦方向Ｙに連なるクロッチ域１３と、前記前ウエスト域１１，１２を画定する前ウエストパネル２０と、前記後ウエスト域１２を画定する後ウエストパネル３０と、前記前後ウエスト域１１，１２の一部及び前記クロッチ域１３を画定し、かつ、吸液構造体４４を有するクロッチパネル４０とを含む。
【００４２】
本発明は、上記使い捨て着用物品１０において、以下の点を特徴とする。
前記クロッチパネル４０は、その前後端縁４０Ａ，４０Ｂにおいて前記前後ウエストパネル２０，３０の前記非肌対向面にそれぞれ取り付けられる。
前記前後ウエストパネル２０，３０は、前記横方向Ｘへ弾性的に伸縮可能であり、前記前ウエストパネル２０の伸長応力は、前記後ウエストパネル３０の伸長応力よりも高く、前記前後ウエストパネル２０，３０は、前記肌対向面側に位置する内面シート２１，３１と、前記非肌対向面側に位置する外面シート２２，３２と、前記内外面シート２１，２２，３１，３２の間に位置する防漏シート２３，３３と、前記内外面シート２１，２２，３１，３２の間に配置された複数のストリング状またはストランド状の複数条のウエスト弾性体２４，３４とをそれぞれ含み、前記前後ウエストパネル２０，３０は、前記横方向Ｘへ延びる前記ウエスト弾性体２４，３４によって前記横方向Ｘへ伸縮可能に弾性化され、前記ウエスト弾性体２４，３４の前記縦方向Ｙにおける離間寸法が他の領域よりも大きくされた大離間部２５，３５を有し、前記後ウエストパネル３０の前記防漏シート３３は、前記クロッチパネル４０の前記後端縁４０Ｂから前記縦方向Ｙの外方へ延出される延出部３６を有し、前記延出部３６と前記大離間部３５とが重なる。
【００４３】
上記本発明は、少なくとも下記の実施の形態を含むことができる。
（１）前記前ウエストパネル２０の前記ウエスト弾性体２４は、前記後ウエストパネル３０の前記ウエスト弾性体３４よりも高い伸長倍率で取り付けられる。
（２）前記前ウエストパネル２０の前記ウエスト弾性体２４は、２．３〜３．３の伸長倍率で、前記後ウエストパネル３０の前記ウエスト弾性体３４は、１．５〜２．５の伸長倍率で各々取り付けられる。
（３）前記前ウエストパネル２０の前記ウエスト弾性体２４の径は、前記後ウエストパネル３０の前記ウエスト弾性体３４の径よりも大きい。
（４）前記前ウエストパネル２０の前記ウエスト弾性体２４の数は、前記後ウエストパネル３０の前記ウエスト弾性体３４の数よりも多い。
【符号の説明】
【００４４】
１０    使い捨て着用物品（使い捨ておむつ）
１１    前ウエスト域
１２    後ウエスト域
１３    クロッチ域
２０    前ウエストパネル
２１    内面シート
２２    外面シート
２４    ウエスト弾性体
３０    後ウエストパネル
３１    内面シート
３２    外面シート
３４    ウエスト弾性体
４０    クロッチパネル
４０Ａ  前端縁
４０Ｂ  後端縁
【図１】
0005991809.tif 000002
【図２】
0005991809.tif 000003
【図３】
0005991809.tif 000004
【図４】
0005991809.tif 000005
【図５】
0005991809.tif 000006
【図６】
0005991809.tif 000007